(57)【要約】【課題】  容易に作動させることができかつそれぞれの流動性物質を正確に塗布するのに利用できる序文で述べたタイプの装置を創出すること。【解決手段】  流動性物質の分配装置は、一端が閉じかつその閉じた端部から離れた側にある端部が排出開口部（１８）を有するネック部（１６）になっている貯蔵室（１４）を形成する管状容器（１２）を含む。閉鎖体（２０）が、排出開口部（１８）を塞ぎかつ装置を作動させるためにネック部（１６）から分離可能にネック部（１６）上に成形されている。ネック部（１６）は塗布装置（２６）によって囲まれている。閉鎖体（２０）は円筒形状に作られかつ塗布装置（２６）から突出するように塗布装置（２６）を貫通している。【選択図】  図１
2007246168.tif 000002
【特許請求の範囲】
【請求項１】
流動性物質の分配装置において、
第１の端部が閉じかつその閉じた第１の端部から離れた側にある第２の端部が排出開口部（１８）を有するネック部（１６）になっている貯蔵室（１４）を形成する管状容器（１２）と、
前記排出開口部（１８）を塞ぎかつ前記装置を作動させるために前記ネック部（１６）から分離可能な、前記ネック部（１６）上に成形された円筒形状の閉鎖体（２０）と、
前記ネック部（１６）を囲みかつ前記閉鎖体（２０）が貫通した塗布装置（２６）と、を備え、
前記閉鎖体（２０）が塗布装置（２６）から突出していることを特徴とする流動性物質の分配装置。
【請求項２】
前記閉鎖体（２０）に前記塗布装置（２６）のための蓋（４２）が設けられていることを特徴とする請求項１に記載の流動性物質の分配装置。
【請求項３】
前記蓋（４２）は前記閉鎖体（２０）に係合していることを特徴とする請求項２に記載の流動性物質の分配装置。
【請求項４】
把持ボトルが前記閉鎖体上に作られていることを特徴とする請求項１に記載の流動性物質の分配装置。
【請求項５】
塗布装置（２６）はブラシの毛を備えることを特徴とする請求項１に記載の流動性物質の分配装置。
【請求項６】
塗布装置（２６）は前記ネック部（１６）を囲む支持環（２４）を備えることを特徴とする請求項１に記載の流動性物質の分配装置。
【請求項７】
前記容器（１２）は弾力性のある、可塑性の樹脂部であることを特徴とする請求項１に記載の流動性物質の分配装置。
【請求項８】
前記容器は前記閉じた端部に近接した位置に蛇腹を含むことを特徴とする請求項１に記載の流動性物質の分配装置。
【請求項９】
前記容器には目盛りが付いていることを特徴とする請求項１に記載の流動性物質の分配装置。
【請求項１０】
前記排出開口部を有する前記ネック部は前記容器の挿入部として作られていることを特徴とする請求項１に記載の流動性物質の分配装置。
【発明の詳細な説明】
【技術分野】
【０００１】
この出願は、２００６年２月２３日に出願されたドイツ実用新案No. 20 2006 002 927.3の優先権の利益を主張する。
この発明は、一端が塞がれかつその塞がれた端部から離れた側にある端部が排出開口部を有するネック部になっている貯蔵室を形成する筒状容器を備えた流動性物質の分配装置に関する。その排出開口部を塞ぎかつその装置を作動させるためにネック部から分離可能な閉鎖体がネック部上に成形されている。
【背景技術】
【０００２】
このような装置は、従来技術であり、かつ液体、例えば液体薬物のための使い捨て分配装置の形態で作られる。使い捨て分配装置は、一方では経済的に製造できる必要があり、かつ他方では確実且つ容易に操作できる必要がある。さらに、医療用途の分配装置は特に、流動性を有する物質をできるだけ正確にかつ損失なく塗布することができるように作る必要がある。
【発明の開示】
【発明が解決しようとする課題】
【０００３】
本発明の目的は、容易に作動させることができかつそれぞれの流動性物質を正確に塗布するのに利用できる上述したタイプの装置を創出することである。
【課題を解決するための手段】
【０００４】
この目的は、塗布装置から突出するように塗布装置を貫通する円筒形状の閉鎖体（２０）に、塗布装置で囲まれたネック部を設けた分配装置によって達成される。
【０００５】
本発明は、一端が閉じかつその閉じた端部から離れた側にある端部が排出開口部を有するネック部になっている貯蔵室を有する管状容器を備える流動性物質の分配装置を提供する。閉鎖体が、前記排出開口部を塞ぎかつ前記装置を作動させるために前記ネック部から分離可能に前記ネック部上に成形されている。前記ネック部は塗布装置によって囲まれており、前記閉鎖体は円筒形状でありかつ前記塗布装置から突出するように塗布装置を貫通している。
【０００６】
本発明を適用した装置の構造により、排出開口部が塗布装置内部に通じているので、閉鎖体をネック部から分離した後、流動性物質を貯蔵室から塗布装置へ移送すること及び／又はその流動性物質を損失なく充填することが可能になる。その塗布装置は、好ましくは基本的に環状に作られており、かつ、例えば、ブラシ、スポンジ、綿体、綿糸体を構成している。
【０００７】
本発明の装置を貯蔵状態で保護するために、好ましい実施形態では、閉鎖体には、塗布装置のための蓋が設けられている。その蓋は、例えば、基本的にはカップ状の形態である。その蓋は、好ましくは、塗布装置の長手方向の寸法に実質的に等しい高さを有する。
【０００８】
塗布装置のための保護蓋には、その蓋をねじったとき、蓋に固定された閉鎖体を予め決められた方法でネック部から緩めることができるように、容器の雄ねじと係合する雌ねじを設けてもよい。当然、その保護蓋に雄ねじを設けかつ容器に雌ねじを設けるようにしてもよい。
【０００９】
技術的な製造上の理由から、その蓋と、容器およびネック部と一体に製造することができる円筒形状の閉鎖体とを別々に製造することが必要になるかもしれない。この場合、蓋を円筒形状の閉鎖体の自由端に係合させ或いは円筒形状の閉鎖体の自由端に接合させることができる。
【００１０】
別の実施形態では、把持片を、塗布装置から突出するその把持片の自由端で作動を容易にするために、円筒形状の閉鎖体上に作ることができる。この把持片には、溝或いは溝と同様のようなものを設けることができる。
【００１１】
好ましくは、本発明による装置の容器は弾力性のある可塑性樹脂部であるので、横方向の力を手で加えることにより、貯蔵室に収容された流動性物質を排出開口部を介して塗布装置に移送することができる。しかしながら、その代わりに、COCのような硬質樹脂で容器を製造するようにしてもよい。この場合、好ましくは容器と同様に硬い材料で作られる円筒形状の閉鎖体を、装置を作動させるためにネック部から破断させることができる。本発明による装置の特別な実施形態には、さらに、蛇腹のように作られた領域を、この領域が流動性物質を容器の貯蔵室から吐出させるポンプユニットとして機能するように、容器の閉鎖端部分上に作るための円周のひだを設けることができる。その貯蔵室には、吐出される流動性物質の量を正確に測定するために、目盛りを刻んだスケールをさらに設けるようにしてもよい。
【００１２】
ネック部と容器を別の材料で作るようにしてもよい。この場合、排出開口部を備えたネック部を容器の挿入部として作製するのが有効である。
【００１３】
本発明による装置はまた、塗布中に複数の成分を混合しなければならない多成分系を排出するように作ることもできる。この場合、容器は２つ或いはそれ以上の室を持つ。各室には、本発明による閉鎖体で塞がれた個別の排出開口部を設けることができる。その結果、複数の成分は容器の外側でのみ混合されるであろう。また、複数の室をお互いに密封された接合部或いはそれと同様のものによって分離し、その密封された接合部を容器の分離前に分離することができるようにしてもよい。その結果、個々の室内に収容された成分が容器内で静的に混ざることが可能になる。
【００１４】
本発明の要旨のさらに別の利点および有利な実施形態は、詳細な説明、図面および請求の範囲において見出すことができる。
【発明を実施するための最良の形態】
【００１５】
本発明による２つの実施形態が、以下の説明で詳細に説明される簡略化された概略図で示されている。
【００１６】
図１は、医療分野、例えば薬剤或いは組織の接着に使用される流動性を有する物質を塗布するのに使用可能な排出装置１０を示している。排出装置１０は、弾力性のある、可塑性の樹脂部であり、かつ、流動性物質を貯蔵するための貯蔵室１４を含む容器１２を有する。容器１２は、図１の底部で示される端部が閉じており、図１の頂部で示される径の小さいネック部１６になっており、このネック部１６は排出開口部を形成する流路１８を有している。この流路１８及び／又は排出開口部は、円筒形状のロッド状の閉鎖体２０で塞がれている。この閉鎖体２０の中心軸はネック部１６の中心軸と一致している。そして、閉鎖体２０は、容器１２のネック部１６上に、径の小さい断面を有する所定の分離点２２を介して成形、特に射出成形により成形されている。
【００１７】
ネック部１６は、さらに支持環２４により周囲を囲まれている。この支持環２４は圧入によってネック部１６に結合されており、塗布装置２６を支持する働きをする。この塗布装置２６は、本実施形態では、毛先が支持環２４上に接着されたブラシとして作られている。
【００１８】
円筒形状の閉鎖体２０は、支持環２４から離れた側にある塗布装置２６の端部から突出するように塗布装置２６を貫通しており、これにより、排出装置１０を作動させる、すなわち排出開口部１８を開口させる使用者が閉鎖体２０を容易に把持することができ、かつ、所定の分離点２２の領域で閉鎖体２０を分離及び／又は外すことができる。貯蔵室１４内に収容された液体を塗布するために、使用者が容器１２に横方向の力を手で加えると、塗布装置２６には、排出開口部１８を介して貯蔵室１４内に収容された液体が満たされ、そして、液体を装着された物の上に塗布装置２６で塗布することができる。
【００１９】
図２に示された排出装置４０の実施形態は、排出装置４０がカップ状の蓋４２を有し、この蓋が一方ではブラシとして作られた塗布装置２６を保護し、他方では閉鎖体２０の分離を容易にするという点で、図１に示された実施形態とは異なる。この目的のために、蓋４２は、その底部４４の領域で、容器１２から離れた側にある閉鎖体２０の自由端に係合する。その他の点では、排出装置４０は、図１に示された実施形態と同じである。
【００２０】
排出装置４０の排出開口部１８を開くために、使用者は、周囲に沿って、好ましくは側面に溝付きの領域を設けることのできる蓋４２を把持し、その蓋を回転させ、これにより閉鎖体２０を容器１２のネック部１６から取り外す。
【図面の簡単な説明】
【００２１】
【図１】図１は本発明により作製された排出装置の第１実施形態の縦断面を示している。
【図２】図２は本発明により作製された排出装置の第２実施形態の縦断面を示している。
【符号の説明】
【００２２】
１０  排出装置
１２  筒状の容器
１４  貯蔵室
１６  ネック部
１８  排出開口部
２０  円筒形状の閉鎖体
２２  所定の分離点
２４  支持環
２６  塗布装置
４０  排出装置
４２  蓋
【図１】
2007246168.tif 000003
【図２】
2007246168.tif 000004
【手続補正書】
【提出日】平成19年5月28日(2007.5.28)
【手続補正１】
【補正対象書類名】図面
【補正対象項目名】図２
【補正方法】変更
【補正の内容】
【図２】
2007246168.tif 000005
【外国語明細書】
2007246168000001.pdf